(57)【要約】【課題】大型店舗改修工事現場に安全のために、或いは、災害時の避難場所にプライバシ一保護のために、仮間仕切りとして施工するパネルの断熱遮音を兼ねた仕切り壁構造を提供する。【解決手段】、天井に下向きにビス又は両面テ一プで固定するコ型チャンネル（ａ）と床面に上向きにビス又は両面テ一プで固定するコ型チャンネル（ｂ）の互いに対向する溝との間に、アルミや鉄等の２枚の金属薄板（１）、（２）の隙間に発砲スチロ一ル（３）を充填密着せしめ、当該金属薄板（１）、（２）の表面に、風景や商品キャラクタ一等をプリント印刷（Ｂ）したパネル（Ａ）を、着脱自在にスライドして挿着した仕切り壁の構造【選択図】図１
0003178951.tif 000002
【実用新案登録請求の範囲】
【請求項１】
天井に下向きにビス又は両面テ一プで固定するコ型チャンネル（ａ）と床面に上向きにビス又は両面テ一プで固定するコ型チャンネル（ｂ）の互いに対向する溝との間に、アルミや鉄等の２枚の金属薄板（１）、（２）の隙間に発砲スチロ一ル（３）を充填密着せしめ、当該金属薄板（１）、（２）の表面に、風景や商品キャラクタ一等をプリント印刷（Ｂ）したパネル（Ａ）を、着脱自在にスライドして挿着したパネルの仕切り壁構造
【考案の詳細な説明】
【技術分野】
【０００１】  本考案は、大型店舗改修工事現場に安全のために、或いは、災害時の避難場所にプライバシ一保護のために、仮間仕切りとして施工するパネルの断熱遮音を兼ねた仕切り壁構造に関する。
【背景技術】
【０００２】  大型店舗の建物改修工事の際、工事現場を遮音保全することと、一般客の安全のためや、或いは、災害時の避難場所等には、プライバシ一保護のために、従来は、パネルによって、断熱遮音の仮の間仕切りが構築施工されているのが一般的である。【０００３】  これらの仮間仕切りのパネルは、一般来客の危険を伴いがちな営業中の店舗の建物改修工事現場や避難所等では、仮の間仕切りとは云え、パネルの構築施工に当たっては、一般来客の安全を第一に配慮することは当然で、断熱，遮音と同時に、簡単には倒壊しない構造が要求される。【０００４】  従来は、金属の柱と横の胴縁を入れた石膏ボ一ドが用いられていたが、それだけに、本体工事終了後に撤去して産廃化するパネルの後処理が問題となってくる。
【考案の概要】
【考案が解決しようとする課題】
【０００５】  特に、建物の改修工事の際に用いる仮の間仕切りのパネルは、従来は一過性の工事にも拘わらず、ある程度の堅固さを持つ石膏ボ一ド等の部材を使用し、構築や撤去の施工に時間がかかり、本工事終了後は撤去した石膏等の部材はすべて産業廃棄物として処理していたので、その手間と費用がかかり、工事経費を圧迫しており、しかも、工事期間中は環境的にも無味な空間で索漠としており、特に、避難所等では、この無味な空間が精神的苦痛の一つにもなっていると同時に、パネル面に鋲留めしている告知用の紙やポスタ一の鋲が落ちて危険を伴うなどの問題点があった。【０００６】  本考案は、仮の間仕切りのパネルの表裏両面に風景とかキャラクタ一等の絵画をプリントしてラッピングパネルとなし、無味な空間をむしろ癒しの空間を演出すると同時に、パネルは、何度も繰り返し再利用することにより、工事後の撤去部材の産業廃棄物化をなくし、環境にやさしいエコロジイな構造を提供するものである。
【課題を解決するための手段】
【０００７】  本考案は、天井に下向きにビス又は両面テ一プで固定するコ型チャンネル（ａ）と床面に上向きにビス又は両面テ一プで固定するコ型チャンネル（ｂ）の互いに対向する溝との間に、アルミや鉄等の２枚の金属薄板（１）、（２）の隙間に発砲スチロ一ル（３）を充填密着せしめ、当該金属薄板（１）、（２）の表面に、風景や商品キャラクタ一等をプリント印刷（Ｂ）したパネル（Ａ）を、着脱自在にスライドして挿着した仕切り壁の構造とし、部材はすべて部品化しておくものとした。【０００８】  パネル（Ａ）の一部には、必要に応じて出入り扉の枠体（Ｃ）を嵌め込むものとする。
【考案の効果】
【０００９】  本考案によれば、２枚の金属薄板（１）、（２）と発砲スチロ一ル（３）からなるパネル（Ａ）が、柱を必要とせずに充分な強度を保ち、耐風圧に優れた建築物外装材として外部設置も可能で、耐火断熱遮音効果を有する仕切り壁を構成するから、一般客が出入りする営業中の大型店舗改修工事中の工事現場を安全に隔離保全することや、災害時の避難場所の、プライバシ一保護のための、仮間仕切りの仕切り壁が簡単に、時間的には５割程度で構築施工が出来ると同時に、単価は在来工法の７割で出来、解体取り外しが極めて容易であり、撤去する時間は従来の３分の１と工期をかなり短縮できて経費を著しく節減でき、更に、これらの部材は、現場保管するから運搬必要無く、何度でも再使用が可能で、極めて省資源省エネルギ一効果が大きい効果がある。【００１０】  しかも再使用が可能と云うことは，使用部材が産業廃棄物にはならないから、産廃処理の必要なく、従来、工事経費を圧迫していた運搬費を含めた産廃処理費が零となり、著しい経費節減を実現した効果がある。【００１１】  更には、パネル（Ａ）の表裏両面には、キャンパスを兼ねて動植物や四季折々の風景，森林樹木等のデザインの写真や絵画をプリント印刷していやしの空間を演出すものであるから、一般に無味な工事現場やプライバシ一保護の仮間仕切り壁を、いやしの空間として人の心を和ませることが出来る効果がある。
【図面の簡単な説明】
【００１２】
【図１】本考案の施工中の斜視図である。
【図２】本考案構造の正面図である。
【考案を実施するための最良の形態】
【００１３】  本考案は、一般来客が出入りする営業中の大型店舗の改修工事現場や、災害避難所等に設置する仮の間仕切りパネルの構造を提案するもので、天井に下向きにビス又は両面テ一プで固定するコ型チャンネル（ａ）と床面に上向きにビス又は両面テ一プで固定するコ型チャンネル（ｂ）の互いに対向する溝との間に、アルミや鉄等の２枚の金属薄板（１）、（２）の隙間に発砲スチロ一ル（３）を充填密着せしめ、当該金属薄板（１）、（２）の表面に、風景や商品キャラクタ一等をプリント印刷（Ｂ）したパネル（Ａ）を、着脱自在にスライドして挿着した仕切り壁の構造とし、部材はすべて部品化しておくものとした。パネル（Ａ）の一部には、必要に応じて出入り扉の枠体（Ｃ）を嵌め込むものとする。【００１４】  本考案によれば、２枚の金属薄板（１）、（２）と発砲スチロ一ル（３）からなるパネル（Ａ）が、柱を必要とせずに現場に合わせて微妙な高さ調整が可能で、充分な強度を保ち、耐風圧に優れた建築物外装材として外部設置も可能で、断熱遮音効果を有する仕切り壁を構成するから、一般客が出入りする営業中の大型店舗改修工事中の工事現場を安全に隔離保全することや、災害か時の避難場所の、プライバシ一保護のための、仮間仕切りの仕切り壁が簡単に構築施工出来る。【００１５】  同時に、解体取り外しが極めて容易であり、撤去する時間は従来の３分の１から４分の１と工期をかなり短縮できて経費を著しく節減できる。【００１６】  更に、これらの部材は、現場保管するから運搬の必要が無く、何度でも再使用が可能で、極めて省資源省エネルギ一効果が大きい効果がある。【００１７】  何十回でも再使用が可能であることは，使用部材が産業廃棄物にはならないから、産廃処理の必要なく、この効果は極めて大きく、従来、工事経費を圧迫していた運搬費を含めた産業廃葉物処理費が零となり、環境にやさしく著しい経費節減を実現したものである。【００１８】  近年、国の政策の一環として、担当省庁から、３Ｒ運動が提唱されている。即ち、安価を目的とした繰り返し再利用のリュ一ス，環境問題としての再資源化のリサイクルと廃棄物ゼロ化のリデユ一スの３項目の努力であるが、本考案によれば、この３Ｒがすべてクリアされたことになる。【００１９】  本願構造は、プレカット工法で施工できるので、現場での切断，溶接が発生せず、従って、従来のような火事，騒音，埃の発生もなく、環境に極めて優しい効果もある。【００２０】  パネル（Ａ）の表裏両面には、開店告知の広告やキャンバスを兼ねて動植物や四季折々の風景，森林樹木等のデザインの写真や絵画をプリント印刷していやしの空間を演出すものであるから、一般に無味な工事現場やプライバシ一保護の仮間仕切り壁を、いやしの空間として人の心を和ませることが出来る効果がある。
【符号の説明】
【００２１】      １  金属薄板
２  金属薄板
３  発砲スチロ一ル
ａ  コ型チャンネル
ｂ  コ型チャンネル
Ａ  パネル
Ｂ  プリント印刷
Ｃ  枠体
【図１】
0003178951.tif 000003
【図２】
0003178951.tif 000004